(57)【要約】【課題】本発明は、別途のコンピュータを包装装置と一体型に具備しなくても、簡単で自動的に薬剤の包装が成されるようにする。【解決手段】  処方された薬剤の多様な服用方法に関するメニューの貯蔵されたメモリーからキーボタン操作で包装紙に印刷する内容を選択する段階と；キーボタンを操作して薬剤の包装数および分包方式を設定し、メモリーに記憶された印刷情報から包装紙に印刷する内容を設定した後、この設定された情報を前記キーボタンの操作で前記制御部に入力する入力段階と；前記制御部に入力された薬剤の包装数と分包方式に合わせて前記制御部が薬剤の移送排出部を駆動し、トレーに配列された薬剤を移送してホッパーに排出する薬剤移送排出段階と；前記制御部に入力された印刷内容に合わせて前記包装紙を印刷し、前記ホッパーに排出された薬剤を受けて、印刷された包装紙で包装する印刷および包装段階；とから成るものである。【選択図】  図１
2005263318.tif 000002
【特許請求の範囲】
【請求項１】
処方された薬剤の多様な服用方法に関するメニューの貯蔵されたメモリーからキーボタン操作で包装紙に印刷する内容を選択する段階と；
キーボタンを操作して薬剤の包装数および分包方式を設定して制御部に入力する段階と；
前記制御部に入力された薬剤の包装数と分包方式に合わせて前記制御部が薬剤の移送排出部を駆動し、トレーに配列された薬剤を移送して１回分ずつホッパーに排出する薬剤移送排出段階と；
前記制御部に入力された印刷内容に合わせて前記包装紙を印刷し、前記ホッパーに排出された薬剤を受けて、印刷された包装紙で包装する印刷および包装段階とから成ることを特徴とする薬剤自動包装方法。
【請求項２】
前記入力段階の次に、キーボタンにより設定された包装数および分包方式と印刷内容をエルシーディー窓を介して表示する段階を更に含むことを特徴とする特許請求の範囲第１項に記載の薬剤自動包装方法。
【請求項３】
前記分包方式は、錠剤を単独に包装する方式と、散剤を単独に包装する方式と、錠剤と散剤とを同時に分離して包装する方式と、錠剤と散剤とを同時に混合して包装する方式から成り、この方式がキーボタンにより選択的に設定されることを特徴とする特許請求の範囲第２項に記載の薬剤自動包装方法。
【請求項４】
前記入力段階では、各々の処方箋によって包装された薬剤を排出する方式として、前記処方箋と処方箋の間に該当する包装紙に空包をおく排出方式と、前記処方箋と処方箋の間に該当する包装紙を切断する排出方式とから成り、この排出方式がキーボタンにより選択的に設定されることを特徴とする特許請求の範囲第１項に記載の薬剤自動包装方法。
【請求項５】
前記入力段階に、前記ホッパーの振動に対するオン／オフがキーボタンにより設定されることを特徴とする特許請求の範囲第４項に記載の薬剤自動包装方法。
【請求項６】
前記入力段階に、残留する散剤を吸入して清掃する清掃機の作動に対するオン／オフがキーボタンにより設定されることを更に含むことを特徴とする特許請求の範囲第５項に記載の薬剤自動包装方法。
【請求項７】
本体の上部に多数の配分筒を有する錠剤トレーが具備され、前記錠剤トレーにより配分された錠剤を移送してホッパーに排出する錠剤の移送排出部が具備され、
前記ホッパーに集まった錠剤を印刷部により印刷された包装紙で密封し切断部を有する密封部が具備され、
前記移送排出部と印刷部および密封部を制御する制御部が具備され、
前記制御部には、処方された薬剤の多様な服用方法に関するメニューの貯蔵されたメモリーが具備され；
前記本体の上面の一側に、薬剤の包装数と分包方式を設定しながら前記メモリーに貯蔵された印刷内容を選択して設定し、この設定された情報を前記制御部に入力するキーボタン操作部が具備されることを特徴とする薬剤自動包装装置。
【請求項８】
前記本体の上面に散剤トレーが更に具備され、前記散剤トレーの下部に投入された散剤を前記ホッパーに移送して排出し、前記キーボタン操作部により設定され、前記制御部により制御される散剤移送排出部が更に具備され、前記本体の内部に残留する散剤を吸入する清掃機が更に具備されることを特徴とする特許請求の範囲第７項に記載の薬剤自動包装装置。
【請求項９】
前記本体の上面に前記ホッパーと連通する多数の装着孔が更に形成され、前記キーボタン操作部により設定され、前記制御部により制御されるモーター駆動部を有する錠剤フィーダーが前記装着孔に装着され、前記錠剤フィーダーの上部に錠剤カセットが脱着可能に具備されることを特徴とする特許請求の範囲第７項に記載の薬剤自動包装装置。
【請求項１０】
前記キーボタン操作部は、包装数を設定する数値ボタンと、分包方式を設定する分包ボタンと、包装数および分包方式と印刷内容を表示するエルシーディー窓と、前記エルシーディー窓に表示された印刷内容を選択する選択ボタンとから構成されることを特徴とする特許請求の範囲第７項乃至第９項のいずれかに記載の薬剤自動包装装置。
【請求項１１】
前記分包ボタンの一側に、多数の処方箋によって包装された薬剤が空包あるいは前記切断部による切断によって区分されるように、包装された薬剤を排出する方式を設定する排出設定ボタンが更に具備されることを特徴とする特許請求の範囲第１０項に記載の薬剤自動包装装置。
【請求項１２】
前記排出設定ボタンの一側に、前記ホッパーの振動がオン／オフされるように設定する振動ボタンが更に具備されることを特徴とする特許請求の範囲第１１項に記載の薬剤自動包装装置。
【請求項１３】
前記振動ボタンの一側に、前記清掃機の作動がオン／オフされるように設定する清掃機作動ボタンが更に具備されることを特徴とする特許請求の範囲第１２項に記載の薬剤自動包装装置。
【請求項１４】
前記本体の一側に形成された前記錠剤トレーと同一な大きさおよび配分孔個数を有する補助トレーと；
前記補助トレーを支持するように前記本体の一側に支持板を具備した移動支持部とを更に含んで構成されることを特徴とする特許請求の範囲第７項に記載の薬剤自動包装装置。
【請求項１５】
前記支持板の上面と前記錠剤トレーの上面とで離隔された一対のレールが装着され、前記レールの上面に当接するように前記補助トレーの下部に多数の車輪が回転可能に装着され、前記レールの両端に各々停止顎が付着されることを特徴とする特許請求の範囲第１４項に記載の薬剤自動包装装置。
【請求項１６】
前記レールが前記支持板と前記本体の接合部で切断されて、前記支持板が前記本体に折り畳み可能に装着され、前記支持板が支持されるように、傾斜づくように当接する受け台が前記本体の側面に折り畳み可能に装着されることを特徴とする特許請求の範囲第１５項に記載の薬剤自動包装装置。
【発明の詳細な説明】
【技術分野】
【０００１】
本発明は、薬剤自動包装方法および装置（Method and apparatus for automatic medicine packing）に関するもので、より詳細には別途のコンピュータを具備しなくても、簡単にキーボタン操作で薬剤の包装が成されるようにする薬剤自動包装方法および装置に関するものである。
【背景技術】
【０００２】
図２１に図示されているように、従来の薬剤自動包装機１００は、外部のコンピュータ２００と一体になっており、前記コンピュータ２００を介して処方箋の情報を入力すると、制御部では処方箋に従い薬剤を１回分ずつホッパーに排出して包装することを特徴とするものである。
【０００３】
前記薬剤自動包装装置は、制御部と連結されたコンピュータが具備され、処方箋による薬剤包装数や包装紙に印刷する内容を前記コンピュータを介して制御部に入力して薬剤の包装が成されるものであり、包装装置とともに別途のコンピュータが一体に具備されてこそ作動が可能なため、包装装置とは別途にコンピュータの設置できる空間が必要であった。
【０００４】
しかし、小型薬局のように、設置場所が狭小な所では、従来の技術のような装備を設置するのに空間上多大なる困難があった。
【発明の開示】
【発明が解決しようとする課題】
【０００５】
そこで、本発明は、前記のような従来の諸般問題点を解消するために案出されたもので、本発明の目的は、別途のコンピュータを具備せずとも、制御部に予め入力された情報を簡単なキーボタン操作で薬剤の包装が成されるようにするものであって、操作が容易で、設定された内容を容易に認知できるようにすることである。
【課題を解決するための手段】
【０００６】
前記のような目的を達成するための本発明の自動包装方法は、処方された薬剤の多様な服用方法に関するメニューの貯蔵されたメモリーからキーボタン操作で包装紙に印刷する内容を選択する段階と、キーボタンを操作して薬剤の包装数および分包方式を設定して制御部に入力する段階と、前記制御部に入力された薬剤の包装数と分包方式に合わせて前記制御部が薬剤の移送排出部を駆動し、トレーに配列された薬剤を移送して１回分ずつホッパーに排出する薬剤移送排出段階と、前記制御部に入力された印刷内容に合わせて前記包装紙を印刷し、前記ホッパーに排出された薬剤を受けて、印刷された包装紙で包装する印刷および包装段階とから成ることを特徴とするものである。
【０００７】
また、前記入力段階の次に、キーボタンにより設定された包装数および分包方式と印刷内容をエルシーディー（ＬＣＤ）窓を介して表示する段階を更に含むことを特徴とするものである。
【０００８】
前記分包方式は、錠剤を単独に包装する方式と、散剤を単独に包装する方式と、錠剤と散剤とを同時に分離して包装する方式と、錠剤と散剤とを同時に混合して包装する方式から成り、この方式がキーボタンにより選択的に設定されることを特徴とするものである。
【０００９】
また、前記入力段階では、各々の処方箋によって包装された薬剤を排出する方式として、前記処方箋と処方箋の間に該当する包装紙に空包をおく排出方式と、前記処方箋と処方箋の間に該当する包装紙を切断する排出方式とから成り、この排出方式がキーボタンにより選択的に設定されることを特徴とするものである。
【００１０】
また、前記入力段階では、前記ホッパーの振動に対するオン／オフがキーボタンと、残留する散剤を吸入して清掃する清掃機の作動に対するオン／オフがキーボタンにより設定されることを特徴とするものである。
【００１１】
前記のような目的を達成するための本発明の自動包装装置は、本体の上部に多数の配分筒を有する錠剤トレーが具備され、前記錠剤トレーにより投入された錠剤を移送してホッパーに排出する錠剤の移送排出部が具備され、前記ホッパーに集まった錠剤を印刷部により印刷された包装紙で密封し切断部を有する密封部が具備され、前記移送排出部と印刷部および密封部を制御する制御部が具備され、前記制御部には、処方された薬剤の多様な服用方法に関するメニューの貯蔵されたメモリーが具備され、前記本体の上面の一側に、薬剤の包装数と分包方式を設定しながら前記メモリーに貯蔵された印刷内容を選択して設定し、この設定された情報を前記制御部に入力するキーボタン操作部が具備されることを特徴とするものである。
【００１２】
また、前記本体の上面に前記制御部により制御される散剤トレーが更に形成され、前記散剤トレーの下部に排出された散剤がコンベヤーによって移送されて一回分ずつホッパーに排出され、前記本体の内部に残留する散剤を吸入する清掃機が更に具備されることを特徴とするものである。
【００１３】
また、前記本体の上面に前記ホッパーと連通する多数の装着孔が更に形成され、前記装着孔に制御部の信号によってモーターが駆動される錠剤フィーダーと、前記錠剤フィーダーの上部に脱着可能に錠剤カセットが具備されることを特徴とするものである。
【００１４】
一方、前記キーボタン操作部は、包装数を設定する数値ボタンと、分包方式を設定する分包ボタンと、包装数および分包方式と印刷内容を表示するエルシーディー窓と、前記エルシーディー窓に表示された印刷内容を選択する選択ボタンとから構成されることを特徴とするものである。
【００１５】
また、前記分包ボタンの一側に、多数の処方箋によって包装された薬剤が空包あるいは前記切断部による切断によって区分されるように、包装された薬剤を排出する方式を設定する排出設定ボタンが更に具備されることを特徴とするものである。
【００１６】
また、前記排出設定ボタンの一側に、前記ホッパーの振動がオン／オフされるように設定する振動ボタンが形成され、前記振動ボタンの一側に、前記清掃機の作動がオン／オフされるように設定する清掃機作動ボタンが更に具備されることを特徴とするものである。
【００１７】
また、前記本体の一側に形成された前記錠剤トレーと同一な大きさおよび配分孔個数を有する補助トレーと；前記補助トレーを支持するように前記本体の一側に支持板を具備した移動支持部と；を更に含んで構成されることを特徴とするものである。
【００１８】
また、前記支持板の上面から前記錠剤トレーの上面に、離隔された一対のレールが装着され、前記レールの上面に当接するように前記補助トレーの下部に多数の車輪が回転可能に装着され、前記レールの両端に各々停止顎が付着されることを特徴とするものである。
【００１９】
また、前記レールが前記支持板と前記本体の接合部で切断されて、前記支持板が前記本体に折り畳み可能に装着され、前記支持板が支持されるように、傾斜づくように当接する受け台が前記本体の側面に折り畳み可能に装着されることを特徴とするものである。
【発明の効果】
【００２０】
本発明は、別途のコンピュータを具備せずとも、簡単で自動的に薬剤の包装が成されるようにすることによって、装置の小型化およびコンパクト化が可能になり、使用上の便利性が著しく増進され、薬局などの空間の狭いところに設置が容易になるという効果を有する。
【００２１】
また、本発明は、使用者がキーボタンによって設定された内容を容易に認知できるようにし、薬剤によって多様な分包方式を有するようにすることによって、より効果的で簡便に薬剤の包装が成されるという効果を有する。
【００２２】
また、本発明は、本体一側に補助トレーを設置し、錠剤の配分容量が増大されるようにしながら、錠剤の迅速な投入が成されるようにする効果を有するものである。
【発明を実施するための最良の形態】
【００２３】
以下、添付の図面を参照に本発明の好ましい実施例を詳細に説明する。
【００２４】
図１は、本発明による包装方法を示したブロック図である。
【００２５】
前記の図１に図示されているように、本発明の薬剤包装方法は、処方された薬剤の多様な服用方法に関するメニューの貯蔵されたメモリーからキーボタン操作で包装紙に印刷する内容を選択する選択段階（Ｓ１０）と、キーボタンの操作で入力情報を設定した後、制御部に入力する入力段階（Ｓ２０）と、入力された情報によって制御部が移送排出部を駆動して薬剤を移送し排出する薬剤移送排出段階（Ｓ３０）と、包装紙を印刷した後、排出された薬剤を包装する印刷および包装段階（Ｓ４０）とから成るものである。
【００２６】
より詳細に説明すると、前記印刷情報選択段階（Ｓ１０）は、前記制御部のメモリーに薬剤包装紙の予想される印刷情報をすべて予め貯蔵し、各々の処方箋による印刷情報をキーボタンだけで選択して、別途の細部的な印刷情報の入力なしに容易に包装紙の印刷が成されるようにするのである。
【００２７】
前記入力段階（Ｓ２０）は、キーボタンを操作して薬剤の包装数および分包方式を設定しながら、メモリーに記憶された印刷情報から包装紙に印刷する内容を選択して設定した後、この設定された情報を前記キーボタンの操作で制御部に入力する段階をいうものである。
【００２８】
前記薬剤移送排出段階（Ｓ３０）は、制御部に入力された薬剤の包装数と分包方式に合わせて前記制御部が薬剤の配分された移送排出部を駆動するようにし、配分された薬剤がホッパーに移送され排出される段階をいうものである。
【００２９】
前記印刷および包装段階（Ｓ４０）は、制御部に入力された印刷内容に従い前記包装紙を印刷し、ホッパーに排出される薬剤を受け、この印刷された包装紙で包装する段階をいうものである。
【００３０】
また、前記入力段階（Ｓ２０）の次のエルシーディー（ＬＣＤ）表示段階（Ｓ２１）は、キーボタンにより設定された包装数および分包方式と印刷内容をエルシーディー窓を介して表示する段階をいうものである。
【００３１】
これは、前記エルシーディー窓などを介して使用者が設定した情報や印刷内容を見れるようにすることによって、印刷内容の選択が容易にできながら、設定された内容の認知がより正確に成されるようにするものである。
【００３２】
前記分包方式は、錠剤を単独に包装する方式と、散剤を単独に包装する方式と、錠剤と散剤を同時に分離して包装する方式と、錠剤と散剤を同時に混合して包装する方式とからなり、このような方式たちがキーボタンにより選択的に設定され、錠剤と散剤とから成った薬剤を多様な方式で混合または単独で包装できるようにするのである。
【００３３】
また、前記入力段階（Ｓ２０）では、各々の処方箋によって包装された薬剤を排出する方式として、前記処方箋と処方箋の間に該当する包装紙に空包をおく排出方式と、前記処方箋と処方箋の間に該当する包装紙を切断する排出方式とから成り、この排出方式がキーボタンにより選択的に設定されるのである。
【００３４】
この多数の処方箋による薬剤を一度に包装する時、処方箋と処方箋の間に該当する包装を空けておいたり切断することによって、各々の処方箋による薬剤の包装をお互い区別できるようにするのである。
【００３５】
また、前記入力段階（Ｓ２０）では、薬剤の排出されたホッパーの振動に対するオン／オフキーボタンが設定されるのだが、移送排出部によりホッパーに排出された薬剤が残留せず、すべて密封部に落下されるようにするためのものである。
【００３６】
また、前記入力段階（Ｓ２０）では、残留する散剤を吸入して清掃する清掃機の作動に対するオン／オフキーボタンが設定されるのだが、散剤を包装する時、残留する散剤を吸入して除去できるようにするもので、残留散剤が他の散剤と混ざるのを防止する役割をするものである。
【００３７】
従って、本包装方法は、キーボタンによる操作で、装置の小型化とコンパクト化が可能になりながら、簡単で自動的に薬剤を包装する方法である。
【００３８】
一方、図２は、本発明による包装装置を示した概略的な正面図で、図３は、図２の概略的な側断面図である。
【００３９】
前記図２と図３に図示されているように、本発明の薬剤包装装置は、本体１０の上部に錠剤トレー２１を有する錠剤移送排出部２０が具備され、前記錠剤移送排出部２０の下部にホッパー３０が具備され、前記ホッパー３０の下部に印刷部４０と密封部５０とが具備される構成である。
【００４０】
前記包装装置は、薬剤師が錠剤トレー２１に錠剤を分配し、この分配された錠剤を錠剤トレー２１の下面に付着された開閉板を開口して、前記錠剤トレー２１に分配された錠剤が一時に落下して錠剤移送排出部２０に流入されるようにし、前記錠剤移送排出部２０で錠剤が一回分ずつホッパー３０に移送排出され、前記ホッパー３０に排出された錠剤は、印刷部４０により印刷された包装紙で密封部５０により密封された状態で排出されるのである。
【００４１】
前記密封部５０により密封された状態で排出される薬剤は、各々の処方箋ごとに切断部５１により切断され区別されるのである。
【００４２】
図４は、図２の概略的な平面図で、図５は、図４の要部拡大図である。
【００４３】
前記図４と図５に図示されているように、本体１０の上面に具備される錠剤トレー２１の一側にキーボタン操作部７０が具備され構成されるものである。
【００４４】
より詳細には、前記キーボタン操作部７０は、包装数を設定する数値ボタン７１と、分包方式を設定する分包ボタン７２と、印刷内容を選択する選択ボタン７４と、包装された薬剤の排出方式を設定する排出設定ボタン７５と、設定された内容を見れるようにするエルシーディー窓７３とで構成され、包装数、分包方式、印刷内容および排出方式を設定した後、動作ボタンを押して制御部（図示せず）に入力し、設定された形態に薬剤を包装するようにするものである。
【００４５】
前記選択ボタン７４は、制御部（図示せず）のメモリーに薬剤包装紙の予想される印刷情報を予めすべて貯蔵し、エルシーディー窓７３に示された処方箋による印刷情報を選択ボタン７４で選択するのである。
【００４６】
前記排出設定ボタン７５は、処方箋と処方箋の間を区別するために設定するボタンで、処方箋と処方箋の間の包装紙に空包をおいたり、切断する方式を選択的に設定するのである。
【００４７】
一方、図６は、本発明の他の実施例を示した概略的な正面図で、図７は、図６の概略的な側断面図である。
【００４８】
前記図６と図７に図示されているように、本包装装置は、本体１０の上部に錠剤トレー２１を有する錠剤移送排出部２０が具備され、前記錠剤移送排出部２０の一側に散剤トレー８１の形成された散剤移送排出部８０が具備され、前記錠剤移送排出部２０と散剤移送排出部８０の下部にホッパー３０が具備され、前記ホッパー３０の下部に印刷部４０と密封部５０とが具備され、前記本体１０の内部に清掃機８２が具備されて構成されるものである。
【００４９】
前記包装装置は、使用者が錠剤トレー２１と散剤トレー８１に錠剤と散剤を配列すると、この配列された錠剤と散剤が一度に落下して錠剤移送排出部２０と散剤移送排出部８０に流入し、前記錠剤移送排出部２０と散剤移送排出部８０で錠剤と散剤が分離されたり混合されて、一回分ずつホッパー３０に移送排出され、前記ホッパー３０に排出された錠剤および散剤は、印刷部４０により印刷された包装紙で密封部５０により密封された状態で排出されるのである。
【００５０】
前記ホッパー３０は、上下に分離され、下部が振動作動部により振動されるように構成されるのである。
【００５１】
前記密封部５０により密封された状態で排出される薬剤は、各々の処方箋ごとに切断部５１により切断され区別されるのである。
【００５２】
図８は、図６の概略的な平面図で、図９は、図８の要部拡大図である。
【００５３】
前記図８と図９に図示されているように、本体１０の上面に具備される錠剤トレー２１と散剤トレー８１の一側にキーボタン操作部７０が具備され構成されるものである。
【００５４】
より詳細には、前記キーボタン操作部７０は、包装数を設定する数値ボタン７１と、分包方式を設定する分包ボタン７２と、印刷内容を選択する選択ボタン７４と、包装された薬剤の排出方式を設定する排出設定ボタン７５と、ホッパー（図示せず）の振動を設定する振動ボタン７６と、清掃機（図示せず）の作動を設定する清掃機作動ボタン７７と、設定された内容を見れるようにするエルシーディー窓７３とで構成されるものである。
【００５５】
前記キーボタン操作部７０は、数値ボタン７１と分包ボタン７２および選択ボタン７４と排出設定ボタン７５を介して包装数と分包方式および印刷内容と排出方式を設定した後、振動ボタン７６および清掃機作動ボタン７７を介してホッパー（図示せず）の振動と残留散剤の清掃を設定し、この設定された情報を動作ボタンを押して制御部（図示せず）に入力して、設定された形態に薬剤を包装しながら各付属品の作動が行なわれるようにするのである。
【００５６】
前記分包ボタン７２は、錠剤と散剤を個別的に包装する方式と、錠剤と散剤を同時に分離して包装する方式と、錠剤と散剤を同時に混合して包装する方式とを選択して設定されるようにするものである。
【００５７】
前記選択ボタン７４は、制御部（図示せず）のメモリーに予め貯蔵された印刷情報から包装紙に印刷される内容、つまり用法をエルシーディー窓７３で見ながら選択して設定する役割をするものである。
【００５８】
前記排出設定ボタン７５は、処方箋と処方箋の間を区別するために設定するボタンで、処方箋と処方箋の間に空包をおいたり、切断する方式を選択的に設定するようにするものである。
【００５９】
前記振動ボタン７６は、移送されて排出された薬剤を受けるホッパー（図示せず）の振動をオン／オフするもので、前記ホッパー（図示せず）にある散剤が完全に落下するようにする振動作動が容易に設定されるようにするものである。
【００６０】
前記清掃機作動ボタン７７は、散剤包装の完了後に残留する散剤を吸入して除去するように清掃機（図示せず）のオン／オフを設定するものである。
【００６１】
一方、図１０は、本発明のまた別の実施例を示した概略的な正面図で、図１１は、図１０の概略的な側断面図である。
【００６２】
前記図１０と図１１に図示されているように、本発明の薬剤包装装置では、本体１０の上部に錠剤トレー２１を有する錠剤移送排出部２０が具備され、前記本体１０の上面に装着孔９１が形成され、前記装着孔９１に錠剤フィーダー９２が設置され、前記錠剤フィーダー９２に錠剤カセット９０が着脱可能に装着され、前記錠剤移送排出部２０と錠剤カセット９０の下部にホッパー３０が具備され、前記ホッパー３０の下部に印刷部４０と密封部５０とが具備される。
【００６３】
前記包装装置は、使用者により錠剤が錠剤トレー２１に分配された後、錠剤トレー２１の下面の開閉部が開口されると、分配された錠剤が一度に錠剤移送排出部２０に排出されるのだが、前記錠剤移送排出部２０で錠剤は一回分ずつホッパー３０に移送排出される。また、前記錠剤カセット９０に充填された錠剤は、制御部の信号に従い作動される錠剤フィーダー９２のモーター駆動部９３により駆動される錠剤カセット９０内の回転部材９４の回転によって１回分ずつホッパー３０に排出され、前記ホッパー３０に排出された錠剤は、印刷部４０により印刷された包装紙に１回分ずつ密封部５０によって包装されるのである。
【００６４】
前記錠剤カセット９０に充填される錠剤は、主に多く使用される錠剤を受容するのが好ましい。
【００６５】
前記密封部５０により密封された状態で排出される薬剤は、各々の処方ごとに切断部５１によって切断されて区別されるのである。
【００６６】
図１２は、図１０の概略的な平面図で、図１３は、図１２の要部拡大図である。
【００６７】
前記図１２と図１３に図示されているように、本体１０の上面に具備され錠剤トレー２１と錠剤カセット９０の一側にキーボタン操作部７０が具備されて構成されるものである。
【００６８】
より詳細には、前記キーボタン操作部７０は、包装数を設定する数値ボタン７１と、分包方式を設定する分包ボタン７２と、印刷内容を選択する選択ボタン７４と、包装された薬剤の排出方式を設定する排出設定ボタン７５と、設定された内容が見れるようにするエルシーディー窓７３とで構成されるものである。
【００６９】
前記キーボタン操作部７０は、数値ボタン７１と分包ボタン７２および選択ボタン７４と排出設定ボタン７５を介して包装数と分包方式および印刷内容と排出方式を設定した後、動作ボタンを押して制御部（図示せず）に入力し、設定された形態に薬剤を包装するようにするものである。
【００７０】
前記選択ボタン７４は、制御部（図示せず）のメモリーに予め貯蔵された印刷情報から包装紙に印刷する内容、つまり用法をエルシーディー窓７３で見ながら選択して設定する役割をするものである。
【００７１】
前記排出設定ボタン７５は、処方箋と処方箋の間を区別するために設定するボタンで、処方箋と処方箋の間に空包をおいたり切断する方式を選択的に設定するようにするものである。
【００７２】
図１４は、本発明の作動状態を示したブロック図である。
【００７３】
前記図１４に図示されているように、処方された薬剤の多様な服用方法に関するメニューの貯蔵されたメモリー６１から、キーボタン操作部７０を介して包装紙に印刷される内容をエルシーディー窓７３を介して見ながら選択し、薬剤師は処方箋による薬剤の包装数と分包方式および排出方式に関する情報をキーボタンの操作で制御部６０に入力するのである。
【００７４】
情報の入力を受けた制御部６０は、入力された情報に従い、錠剤移送排出部２０および散剤移送排出部８０と印刷部４０および密封部５０を制御して錠剤および散剤の包装が成されるようにするのである。
【００７５】
一方、図１５は、本発明のまた別の実施例を示した斜視図で、図１６は、図１５の概略的な正断面図である。
【００７６】
前記図１５と図１６に図示されているように、本体１０の上面に錠剤トレー２１が具備され、前記錠剤トレー２１の下部に錠剤移送排出部２０が具備され、前記錠剤移送排出部２０によりホッパー３０に排出される薬剤を印刷部４０によって印刷された包装紙で密封する密封部５０が具備され、前記錠剤トレー２１の一側に補助トレー２０ａが具備され、前記補助トレー２０ａを支持する支持板２１ｂを含む移動支持部２０ｂとから構成される。
【００７７】
前記錠剤トレー２１に形成された多数の配分筒２２に錠剤が配分されると、この配分された錠剤が前記錠剤トレー２１の下部に設置された開閉板（図示せず）が開いて一度に錠剤移送排出部２０に落下し、落下した錠剤は、一回分ずつホッパー３０に移送された後、印刷された包装紙で密封されるのである。
【００７８】
また、前記補助トレー２０ａは、錠剤トレー２１の配分筒２２と同一な大きさと個数を有する配分孔２１ａが形成され、前記配分孔２１ａの下部に開閉部２２ａが具備され構成されるものである。
【００７９】
前記開閉部２２ａは、補助トレー２０ａの下部面の周りに装着された多数のガイドローラー２２１ａと、前記ガイドローラー２２１ａ内で前記補助トレー２０ａの下部面に当接し、スライディングするように具備される開閉板２２２ａと、前記開閉板２２２ａを移動させ配分孔２１ａを開口する取っ手２２５ａと、前記開閉板２２２ａを復元させるスプリング（図示せず）とで構成されるものである。
【００８０】
前記補助トレー２０ａは、錠剤トレー２１とともに予め錠剤を配分して、より多くの錠剤を一度に包装できるようにするものである。
【００８１】
前記補助トレー２０ａの開閉部２２ａは、使用者が取っ手２２５ａを掴み開閉板２２２ａを引っ張ると、配分孔２１ａが開放されながら配分されている錠剤が一度に落下して排出されるようにするものである。
【００８２】
また、前記移動支持部２０ｂは、補助トレー２０ａが錠剤トレー２１に容易に載置されるように、本体１０の一側に具備される支持板２１ｂを設置したものである。
【００８３】
ここで、前記トレー載置部は、支持板２１ｂに補助トレー２０ａが載置された状態で、前記補助トレー２０ａに錠剤を配分した後、錠剤トレー２１の挿入溝２２ｂに挿入突起２３ｂを挿入して、錠剤トレー２１の上面に形成された配分筒２２と前記補助トレー２０ａに形成された配分孔２１ａが一致するように載置することによって、配分された錠剤を開閉部２２ａの作動で一度に前記配分筒２２に落下させて前記錠剤トレー２１が再充填されるようにするものである。
【００８４】
図１７は、本発明のまた別の実施例を示した要部拡大正断面図で、図１８は、図１７によるＡ−Ａ線の概略的な断面図である。
【００８５】
補助トレー２０ａが載置されるようにする移動支持部２０ｂは、前記補助トレー２０ａを支持するように本体１０の一側に具備される支持板２１ｂと、前記支持板２１ｂの上面から錠剤トレー２１の上面に装着される一対のレール２４ｂと、前記レール２４ｂの上面に載置されるように前記補助トレー２０ａの下部に回転可能に装着される多数の車輪２５ｂと、前記レール２４ｂの両端に各々付着される停止顎２６ｂとから構成されるものである。
【００８６】
ここで、前記補助トレー２０ａは、支持板２１ｂに載置された状態で錠剤が配分され、この錠剤の配分が完了されると、使用者が前記補助トレー２０ａを押して前記補助トレー２０ａが車輪２５によってレール２４ｂに沿って移動されるようにするのである。
【００８７】
そして、前記補助トレー２０ａは、本体１０の上面に付着された停止顎２６ｂまで移動した後、前記停止顎２６ｂに当接して停止することになると、錠剤トレー２１と上下に一致された状態で載置されるのである。
【００８８】
このような状態で、前記補助トレー２０ａの配分孔２１ａに充填された錠剤を開閉板を開口して下部に排出すると、錠剤トレー２１の配分筒２２に一度に挿入され、錠剤の挿入が完了されると、前記補助トレー２０ａを支持板２１ｂの一端に付着された停止顎２６ｂに当接するように反対に移動させ、最初の位置に戻るようにするのである。
【００８９】
また、前記補助トレー２０ａがレール２４ｂに沿って移動した後、停止顎２６ｂに当接して停止するように、前記停止顎２６ｂには前記補助トレー２０ａを自動的に堅固に固定する固定器具が設置されるのだが、この固定器具は、手動操作によって前記補助トレー２０ａの固定が解体されるようにするのが好ましい。
【００９０】
一方、図１９は、本発明の支持板の支持構造を示した概略的な正断面図で、図２０は、図１９の作動状態図である。
【００９１】
本薬剤自動包装装置は、支持板２１ｂの上面に設置されたレール２４ｂが前記支持板２１ｂと本体１０の接合部で切断され、前記本体１０に折り畳み可能に装着され、前記支持板２１ｂの下面に固定顎２７ｂが付着され、前記支持板２１ｂが支持されるように前記固定顎２７ｂに一端が傾斜ずくように当接する受け台２８ｂが前記本体１０の側面に折り畳み可能に装着されて構成されるものである。
【００９２】
前記補助トレー２０ａを使用しない場合は、固定顎２７ｂから受け台２８ｂの先端が抜けるようにした後、次に前記受け台２８ｂを本体１０の一側面におろし、前記受け台２８ｂのおろされた状態で補助トレー２０ａとともに支持板２１ｂをおろして、前記本体１０の一側に前記補助トレー２０ａと支持板２１ｂが収納されるようにするのである。
【００９３】
しかし、前記支持板２１ｂを支持する受け台２８ｂの構造は、折り畳み式にでき、また油圧シリンダーのような公知の技術を適用することもできる。
【００９４】
従って、本薬剤自動包装装置は、補助トレー２０ａを使用しない時、前記補助トレー２０ａと支持板２１ｂとを本体１０の一側に収納して、設置空間の無駄が解消できるように構成されるのである。
【図面の簡単な説明】
【００９５】
【図１】本発明による包装方法を示したブロック図である。
【図２】本発明による包装装置を示した概略的な正面図である。
【図３】図２の概略的な側断面図である。
【図４】図２の概略的な平面図である。
【図５】図４の要部拡大図である。
【図６】本発明の別の実施例を示した概略的な正面図である。
【図７】図６の概略的な側断面図である。
【図８】図６の概略的な平面図である。
【図９】図８の要部拡大図である。
【図１０】本発明のまた別の実施例を示した概略的な正面図である。
【図１１】図１０の概略的な側断面図である。
【図１２】図１０の概略的な平面図である。
【図１３】図１２の要部拡大図である。
【図１４】本発明の作動状態を示したブロック図である。
【図１５】本発明のまた別の実施例を示した斜視図である。
【図１６】本発明の概略的な正断面図である。
【図１７】本発明のまた別の実施例を示した要部拡大正断面図である。
【図１８】図１７によるＡ−Ａ線の概略的な断面図である。
【図１９】本発明の支持板の支持構造を示した概略的な正断面図である。
【図２０】図１９の作動状態図である。
【図２１】従来の一例を示した概略的な正断面図である。
【符号の説明】
【００９６】
１０：本体
２０：錠剤移送排出部
２１：錠剤トレー
３０：ホッパー
４０：印刷部
５０：密封部
６０：制御部
６１：メモリー
７０：キーボタン操作部
７１：数値ボタン
７２：分包ボタン
７３：エルシーディー窓
７４：選択ボタン
７５：振動ボタン
７６：清掃機作動ボタン
８０：散剤移送排出部
９０：錠剤カセット
【図１】
2005263318.tif 000003
【図２】
2005263318.tif 000004
【図３】
2005263318.tif 000005
【図４】
2005263318.tif 000006
【図５】
2005263318.tif 000007
【図６】
2005263318.tif 000008
【図７】
2005263318.tif 000009
【図８】
2005263318.tif 000010
【図９】
2005263318.tif 000011
【図１０】
2005263318.tif 000012
【図１１】
2005263318.tif 000013
【図１２】
2005263318.tif 000014
【図１３】
2005263318.tif 000015
【図１４】
2005263318.tif 000016
【図１５】
2005263318.tif 000017
【図１６】
2005263318.tif 000018
【図１７】
2005263318.tif 000019
【図１８】
2005263318.tif 000020
【図１９】
2005263318.tif 000021
【図２０】
2005263318.tif 000022
【図２１】
2005263318.tif 000023